(57)【特許請求の範囲】
【請求項１】
平均分子量が２００〜１０００である脱脂卵黄の加水分解物と抗酸化剤とを含有してなることを特徴とする酸化防止剤組成物。
【請求項２】
抗酸化剤がトコフェロール、アスコルビン酸、アスコルビン酸塩、アスコルビン酸エステルのうちの１種又は２種以上を組み合わせてなる請求項１記載の酸化防止剤組成物。
【請求項３】
請求項１または２記載の酸化防止剤組成物を含有してなる食品。
【請求項４】
請求項１または２記載の酸化防止剤組成物を含有してなる飼料。
【発明の詳細な説明】
【０００１】
【発明の属する技術分野】
本発明は酸化防止剤組成物に関し、更に詳しくは、脱脂卵黄の加水分解物と抗酸化剤とを含有してなる酸化防止力の向上を目的とした酸化防止剤組成物及びこれを含有した食品又は飼料に関する。
【０００２】
【従来の技術】
近年、高度不飽和脂肪酸であるリノール酸、エイコサペンタエン酸及びドコサヘキサエン酸等が、疫学的に抗血栓作用や血清コレステロール値を降下させる作用を有することから、多くの食品又は飼料に配合させるようになった。
【０００３】
しかしながら、このような高度不飽和脂肪酸を含有した食品又は飼料は、保存状態が悪いとその脂肪酸が経時的に酸化して、風味の劣化、酸化臭の発生等がおきて商品価値を落とすことが問題となっている。
【０００４】
そこで、このような酸化を防止する目的として、従来より、トコフェロール、アスコルビン酸、アスコルビン酸塩、アスコルビン酸エステル、種々の蛋白質加水分解物及びこれらを組み合わせた酸化防止剤組成物が使用されている。
【０００５】
【発明が解決しようとする課題】
しかしながら、従来の酸化防止剤組成物は、その効果は充分でなく、より効果のある酸化防止剤組成物が望まれている。
本発明の目的は、従来の酸化防止剤組成物に比べより酸化防止効果に優れた新規な酸化防止剤組成物を提供することである。
【０００６】
【課題を解決するための手段】
本発明者らは、上記の目的を達成すべく鋭意研究を重ねた結果、本発明を完成するに至った。すなわち、本発明は、（１）平均分子量が２００〜１０００である脱脂卵黄の加水分解物と抗酸化剤とを含有してなる酸化防止剤組成物、（２）抗酸化剤がトコフェロール、アスコルビン酸、アスコルビン酸塩、アスコルビン酸エステルのうちの１種又は２種以上を組み合わせてなる（１）記載の酸化防止剤組成物、（３）（１）または（２）記載の酸化防止剤組成物を含有してなる食品、（４）（１）または（２）記載の酸化防止剤組成物を含有してなる飼料を提供するものである。
【０００７】
【発明の実施の形態】
以下本発明を詳細に説明する。尚、本発明において「％」はすべて「重量％」を意味する。
本発明に於いて「脱脂卵黄」とは、卵黄から卵黄脂質を除去したものをいい、通常鳥卵（代表的には鶏卵）を割卵分離して得られる卵黄液を、一旦乾燥して乾燥卵黄としたものに、例えばアルコール（９０〜９９％の含水アルコール）を作用させてアルコールに可溶な卵黄脂質（主に、トリグリセリド、コレステロール及びリン脂質）を抽出し、濾過により卵黄脂質を含有したアルコール画分を除去後、濾過残渣を乾燥させて得られる。なお、この脱脂卵黄には、卵黄蛋白に対し数１０％の卵黄脂質が残存した状態のものも含まれる。
【０００８】
また、本発明に於いて「脱脂卵黄の加水分解物」とは、前述の脱脂卵黄を酸、アルカリ、酵素等の１種あるいは２種以上の方法を組み合わせて加水分解したものをいう。
特に、これらの方法により得られた加水分解物の内、平均分子量が２００〜１０００の分解物は、後述する抗酸化剤と組み合わせることで、本発明の酸化防止剤組成物がより酸化防止効果を奏し望ましい。
さらに、酸加水分解を単独あるいは他の加水分解法と併用して得られた加水分解物は、風味がよく望ましい。
【０００９】
また、「抗酸化剤」とは、それ自体で抗酸化力を有するものをいい、例えば、α−トコフェロール、β−トコフェロール、γ−トコフェロール、δ−トコフェロール又はこれらの混合物のトコフェロール、アスコルビン酸ナトリウム等のアスコルビン酸塩、アスコルビン酸パルミチン酸エステル又はアスコルビン酸ステアリン酸エステル等のアスコルビン酸エステル、アスコルビン酸、エリソルビン酸、卵白又は大豆等の蛋白質加水分解物、没食子酸、没食子酸プロピル等の没食子酸エステル、クエン酸、コハク酸、酒石酸、フマル酸又はリンゴ酸等の多塩基有機酸等があげられる。
これらの抗酸化剤の内、トコフェロール、アスコルビン酸、アスコルビン酸塩及びアスコルビン酸エステルは、脱脂卵黄の加水分解物と組み合わせることで他の抗酸化剤と比べ、より酸化防止効果を奏し好ましい。
【００１０】
また、「脱脂卵黄の加水分解物と抗酸化剤とを含有してなる」とは、脱脂卵黄の加水分解物と抗酸化剤とが何らかの状態で含有していれば足りる。例えば、粉末状の抗酸化剤に脱脂卵黄の加水分解物が混和した状態のもの、抗酸化剤の溶解液あるいは乳化液に脱脂卵黄の加水分解物が分散あるいは溶解した状態のもの、さらに該分散あるいは溶解液を乾燥し粉末状とした状態のもの等があげられる。
【００１１】
また、「酸化防止剤組成物を含有してなる食品又は飼料」とは、食品または飼料に結果として抗酸化剤と脱脂卵黄の加水分解物を含んでいる状態をいい、このような状態を得る方法としては、抗酸化剤と脱脂卵黄の加水分解物を含有した酸化防止剤組成物を食品等に添加する方法や抗酸化剤と脱脂卵黄の加水分解物を別々に食品等に添加する方法等があげられる。
【００１２】
「食品」とは、例えば、おかき、煎餅、おこし、饅頭、飴等の和菓子、クッキー、ビスケット、クラッカー、パイ、カステラ、ドーナッツ、プリン、スポンジケーキ、ワッフル、バタークリーム、カスタードクリーム、シュークリーム、チョコレート、チョコレート菓子、キャラメル、キャンデー、キューインガム、ゼリー、ホットケーキ、パン、菓子パン等の各種洋菓子、ポテトチップ等のスナック菓子、アイスクリーム、アイスキャンデー、シャーベット等の氷菓、乳酸飲料、乳酸菌飲料、濃厚乳性飲料、果汁飲料、果肉飲料、機能性飲料、炭酸飲料等の清涼飲料水、緑茶、紅茶、コーヒー、ココア等の嗜好品及びこれらの飲料、発酵乳、加工乳、チーズ等の乳製品、豆乳、豆腐等の大豆加工食品、ジャム、果実のシロップ漬、フラワーペースト、ピーナツペースト、フルーツペースト等のペースト類、漬物類、ハム、ソーセージ、ベーコン、ドライソーセイジ、ビーフジャーキー等の畜肉製品類、魚肉ハム、魚肉ソーセージ、かまぼこ、ちくわ、はんぺん等の魚貝類製品、魚、貝等の干物、鰹、鯖、鰺等の各種節、ウニ、イカ等の塩辛、スルメ、魚等のみりん干、鮭等の燻製品、のり、小魚、貝、山菜、椎茸、昆布等の佃煮、カレー、シチュー等のレトルト食品、みそ、醤油、ソース、ケチャップ、マヨネーズ、ドレッシング、ブイヨン、焼肉のタレ、カレールー、シチューの素、スープの素、だしの素等の各種調味料、米飯類、油脂を含有する各種レンジ及び冷凍食品等、酸化安定性を必要とする食品をいう。
【００１３】
「飼料」とは、食用として飼育されている鶏、牛、豚等の餌、犬及び猫等のペット用の餌、金魚、鯉、グッピー等の観賞魚用の餌、ハマチ、鰻等の養殖魚用の餌等をいう。
【００１４】
本発明の酸化防止剤組成物が、従来品に比べてより優れた酸化防止効果を如何なる理由により発揮するかは定かでないが、脱脂卵黄の加水分解物のアミノ酸組成または構成アミノ酸の配列により、抗酸化剤と組み合わせることで、抗酸化剤が有する酸化防止効果を脱脂卵黄の加水分解物が助長するからではないかと推察される。
【００１５】
本発明の酸化防止剤組成物の代表的な製造方法を以下に説明する。
Ａ．脱脂卵黄の加水分解物の調製
▲１▼卵黄液の乾燥
鳥卵（代表的には鶏卵）を割卵し、卵白液から分離して得られた卵黄液を、例えば、噴霧乾燥（スプレードライ）法あるいは凍結乾燥（フリーズドライ）法により乾燥する。乾燥は必須ではないが、乾燥により後工程の卵黄脂質の抽出除去が容易となる。
【００１６】
▲２▼脱脂卵黄の調製
乾燥卵黄１部にアルコール（エタノール濃度約９０〜９９％、水分濃度約１０〜１％）５〜２０部を作用させてアルコールに可溶な卵黄脂質（主に、トリグリセリド、コレステロール及びリン脂質）を抽出し、フィルタープレス、圧搾濾過等の濾過法により卵黄脂質を含有したアルコール画分を除去し、必要に応じ濾過残渣に上記アルコールをさらに作用させて抽出・濾過後、濾過残渣を乾燥させ水分やアルコールを蒸発させる。
【００１７】
▲３▼脱脂卵黄の加水分解物の調製
脱脂卵黄を酸、アルカリあるいは酵素等による加水分解のうち、単独あるいは２種以上の方法を組み合わせて加水分解する。以下に、これらの処理法の一例をあげる。
【００１８】
酸加水分解法
脱脂卵黄１部に対し、５〜４０部の０．５〜６Ｎ（規定度）の塩酸、あるいは０．５〜１５Ｎ（規定度）の硫酸を添加し、例えば常圧下では５０〜１００℃で３０分〜２４時間処理し、中和後、濾過、必要に応じさらに脱塩し、脱脂卵黄の分解物の水溶液を得る。
【００１９】
アルカリ加水分解法
脱脂卵黄１部に対し、５〜４０部の０．５〜３Ｎ（規定度）の水酸化ナトリウム、あるいは水酸化カリウムを添加し、例えば常圧下では、４０〜１００℃で３０分〜８時間処理し、中和後、濾過、必要に応じさらに脱塩し、脱脂卵黄の分解物の水溶液を得る。
【００２０】
酵素加水分解法
脱脂卵黄１部に対し、１０〜４０部の水を加え、蛋白質分解酵素、例えばパパイン、パンクレアチン等を脱脂卵黄に対し０．５〜２０％となるように添加し、該酵素の至適ｐＨ及び温度にて５〜４０時間処理し、加熱により酵素を失活後、濾過し脱脂卵黄の分解物の水溶液を得る。
【００２１】
酸加水分解法と酵素加水分解法の併用
脱脂卵黄１部に対し、５〜４０部の０．５〜６Ｎ（規定度）の塩酸、あるいは０．５〜１５Ｎ（規定度）の硫酸を添加し、例えば常圧下では、５０〜１００℃で３０分〜２４時間処理し、次に、蛋白質分解酵素の至適ｐＨに調整後、蛋白質分解酵素を脱脂卵黄に対し０．１〜２０％となるように加え、酵素の至適温度にて５〜４０時間処理し、加熱により酵素を失活後、濾過、必要に応じ脱塩し、脱脂卵黄の分解物の水溶液を得る。
【００２２】
各種加水分解法により得られた脱脂卵黄の加水分解物の水溶液は、所望により凍結乾燥（フリーズドライ）又は噴霧乾燥（スプレードライ）等の乾燥法で乾燥物としてもよい。
【００２３】
Ｂ．酸化防止剤組成物の調製
▲１▼溶液状の酸化防止剤組成物の調製
トコフェロール、アスコルビン酸エステル等の油溶性の抗酸化剤を、乳化剤で乳化又は含水エタノールに溶解した液、あるいはアスコルビン酸等の水溶性の抗酸化剤の水溶液に、脱脂卵黄の加水分解物を分散あるいは溶解し、溶液状の酸化防止剤組成物を得る。所望により、キサンタンガム、グアガム等の増粘剤及び／又はその他の添加剤を添加することもできる。
【００２４】
▲２▼粉末状の酸化防止剤組成物の調製
上述の溶液状の酸化防止剤組成物、あるいはその調製の際に、カゼイン等の蛋白質及び／又は乳糖、デキストリン等の糖類等のような粉末化に使用する賦形剤を添加後、凍結乾燥あるいは噴霧乾燥を行い粉末状の酸化防止剤組成物を得る。
【００２５】
以上、本発明の酸化防止剤組成物の代表例を説明したが、本発明の酸化防止組成物は、これらの製造方法以外でも製造できることは勿論のことである。
【００２６】
次に本発明を実施例・試験例に基づき、さらに詳細に説明する。
【実施例】
実施例１
▲１▼脱脂卵黄の調製
鶏卵を割卵し、卵白液から分離して得られた卵黄液１０ｋｇを、噴霧乾燥法により水分を除去し乾燥卵黄４．８ｋｇを得た。この乾燥卵黄４ｋｇに９５％エタノール２０Ｌ（リットル）を加え、３０℃で３０分間攪拌後濾過により卵黄脂質を含有したアルコール画分を除去した。さらに濾過残渣を９５％エタノール２Ｌで洗浄後濾過し残渣中の卵黄脂質を除去した。次に、この濾過残渣を減圧下５０℃でエタノールを除去して脱脂卵黄１．７ｋｇを得た。尚、この脱脂卵黄は、卵黄脂質を約１５％含有していた。
【００２７】
▲２▼脱脂卵黄の加水分解物の調製
上記の脱脂卵黄１ｋｇに１．５Ｎ（規定度）塩酸溶液を１０Ｌ（リットル）加え、９０℃で３時間処理した。次に、４Ｎ（規定度）水酸化ナトリウム水溶液で中和後、濾過し、電気透析で脱塩し、得られた溶液を噴霧乾燥して脱脂卵黄の加水分解物（平均分子量約５００）を得た。尚、得られた加水分解物は、風味のよいものであった。
【００２８】
▲２▼酸化防止剤組成物の調製
上記の脱脂卵黄の加水分解物５０ｇとデカグリセリンモノオレエート（理研ビタミン（株）製、商品名「ポエムＪ−９１Ｆ」）４０ｇを、清水８００ｇに溶解し、ホモミキサー（特殊機化工業（株）製、商品名「Ｔ．Ｋ．ホモミクサー」）を用い１００００ｒｐｍで３０分間攪拌しながらトコフェロール（吉原製油（株）製、商品名「ゴールデントコフェロール７０」）を６０ｇ徐々に添加え、乳化状の酸化防止剤組成物を得た。
【００２９】
実施例２
実施例１の脱脂卵黄１ｋｇに水２０Ｌ（リットル）を加え、１Ｎ（規定度）塩酸でｐＨ７に調整後、蛋白質分解酵素（科研製薬（株）製、商品名「アクチナーゼＡＳ」）１００ｇを添加し、５０℃で６時間処理後、さらに、別の蛋白質分解酵素（天野製薬（株）製、商品名「パンクレアチンＦ」）２０ｇを添加し、４０℃で６時間処理した。次に、この酵素処理液を９０℃で３０分間加熱処理を行い酵素を失活させ、濾過後、凍結乾燥して脱脂卵黄の加水分解物（平均分子量約６００）を得た。尚、得られた加水分解物は、若干苦みを呈していた。
次に、実施例１の酸化防止剤組成物の製造と同様な方法で調製し乳化状の酸化防止剤組成物を得た。
【００３０】
実施例３
実施例１の脱脂卵黄の加水分解物５０ｇ、デカグリセリンステアレート（理研ビタミン（株）製、商品名「ポエムＪ−００８１Ｈ」）４０ｇ及びデキストリン（松谷化学工業（株）製、商品名「パインデックス１」）１００ｇを清水７４０ｇに溶解し、ホモミキサー（特殊機化工業（株）製、商品名「Ｔ．Ｋ．ホモミクサー」）を用い１００００ｒｐｍで３０分間攪拌しながらトコフェロール（吉原製油（株）製、商品名「ゴールデントコフェロール７０」）を６０ｇ徐々に添加し、乳化する。この乳化物を噴霧乾燥して粉末状の酸化防止剤組成物を得た。
【００３１】
実施例４
実施例１の脱脂卵黄の加水分解物１００ｇと粉末状トコフェロール（理研ビタミン（株）製、商品名「理研ドライＥミックス−２０」）２０ｇとを均一に混合し、粉末状の酸化防止剤組成物を得た。
【００３２】
実施例５
実施例１及び実施例２で得られた乳化状の酸化防止剤組成物を、それぞれ１％添加した０．１％の食塩水に、丸干しシシャモを１５分間浸漬後、水切りし、酸化防止剤組成物で被覆された丸干しシシャモを得た。尚、対照には、脱脂卵黄の加水分解物を添加せずに実施例１の酸化防止剤組成物の調製と同様な方法で得られたトコフェロール製剤を用いた。
得られた丸干しシシャモを−２０℃で５ヵ月間保存後、焼き、試食した。
その結果、実施例１及び実施例２の脱脂卵黄の加水分解物を含有した酸化防止剤組成物で被覆されたシシャモは、保存後も良好な風味を保っていたのに対し、対照のトコフェロール製剤で被覆されたシシャモは、若干酸化臭を有していた。特に、実施例１の酸化防止剤組成物で被覆されたシシャモは、保存前と同等の良好な風味を保っていた。
【００３３】
実施例６
豚挽肉５００ｇに食塩９．６ｇ、砂糖２ｇ、砕氷８０ｇ及び適当量の香辛料を加え塩漬後、実施例３で得られた酸化防止剤組成物を１ｇ添加し、よく混和し羊腸に充填後、加熱殺菌してソーセージを得た。尚、対照には、脱脂卵黄の加水分解物を添加せずに実施例３の酸化防止剤組成物の調製と同様な方法で得られたトコフェロール製剤を使用した。
得られたソーセージを４℃で２０日間保存後、基準油脂分析試験法に則り過酸化物価（ＰＯＶ）を測定した。
その結果、対照のトコフェロール製剤を添加したソーセージの過酸化物価は、保存前が７．９ｍｅｑ／ｋｇで保存後が２０．８ｍｅｑ／ｋｇであったのに対し、酸化防止剤組成物を添加したソーセージは、保存前が７．７ｍｅｑ／ｋｇで保存後が９．６ｍｅｑ／ｋｇと過酸化物価の上昇が抑えられていた。
【００３４】
実施例７
実施例４で得られた酸化防止剤組成物を含め下記配合にて原料を混合し、１０℃で１時間冷却後、整形し、１８０℃で１４分間焙焼してクッキーを製造した。尚、対照として、粉末状トコフェロール（理研ビタミン（株）製、商品名「理研ドライＥミックス−２０」）を使用した。
得られたクッキーをポリエチレン袋に入れ、３５℃で１ヵ月間保存後、試食した。
その結果、脱脂卵黄の加水分解物を含有した酸化防止剤組成物を用いたクッキーは、保存後も良好な風味を有していたのに対し、対照の粉末状トコフェロールを用いたクッキーは、若干酸化臭を有していた。
バター                １４０    ｇ
ショートニング        １４０    ｇ
ブラウンシュガー      １００    ｇ
グラニュー糖            ７０    ｇ
全卵                  １２０    ｇ
薄力粉                ３１０    ｇ
炭酸水素ナトリウム        ２．２ｇ
食塩                      ２．５ｇ
酸化防止剤組成物          ２    ｇ
【００３５】
実施例８
▲１▼脱脂卵黄の調製
鶏卵を割卵し、卵白液から分離して得られた卵黄液１０ｋｇを、噴霧乾燥法により水分を除去し乾燥卵黄４．８ｋｇを得た。この乾燥卵黄４ｋｇに９８％エタノール２０Ｌ（リットル）を加え、３０℃で３０分間攪拌後濾過により卵黄脂質を含有したアルコール画分を除去した。さらに、濾過残渣を９８％エタノール２Ｌで２回洗浄・濾過し残渣中の卵黄脂質を除去した。次に、この濾過残渣を減圧下５０℃でエタノールを除去して脱脂卵黄１．５ｋｇを得た。尚、この脱脂卵黄は、卵黄脂質を約４％含有していた。
【００３６】
▲２▼脱脂卵黄の加水分解物の調製
上記の脱脂卵黄１ｋｇに、１Ｎ（規定度）塩酸溶液を３Ｌ（リットル）加え、９０℃で２時間処理した。次に、４Ｎ（規定度）水酸化ナトリウム水溶液でｐＨ５．５に調整後、蛋白質分解酵素（ノボ  ノルディックスバイオインダストリー社製、商品名「フレーバーザイムＭＧ」）２ｇを添加し５５℃で４時間処理後、４Ｎ（規定度）水酸化ナトリウム水溶液でｐＨ７に調整し、さらに、フレーバーザイムＭＧを４０ｇ添加し、５０℃で４時間処理した。次に、この酵素処理液を９０℃で３０分間加熱処理を行い酵素を失活させ、活性炭２ｋｇで脱色後、濾過し、得られた水溶液を電気透析で脱塩し凍結乾燥して、脱脂卵黄の加水分解物（平均分子量約４００）を得た。尚、得られた加水分解物は、風味のよいものであった。
【００３７】
▲２▼食品の製造
上記の脱脂卵黄の加水分解物を含め下記配合にて原料を混合し、１８０℃で２０分間焼き、スポンジケーキを製造した。尚、対照には脱脂卵黄の加水分解物を配合しなかった。得られたスポンジケーキを−２０℃で６ヵ月間保存後、試食した。
その結果、脱脂卵黄の加水分解物を配合したケーキは、保存後も良好な風味を有していたのに対し、対照は、若干酸化臭を有していた。
全卵                  １８０    ｇ
グラニュー糖          ２００    ｇ
薄力粉                １９０    ｇ
レモン汁                ３０    ｇ
バター                  ５０    ｇ
脱脂卵黄の加水分解物      １    ｇ
（レモン汁中のアスコビン酸の含有量は、１３．３ｍｇである）
【００３８】
実施例９
実施例４で得られた酸化防止剤組成物を含め下記配合にて原料を混合し、鶏用の飼料を調製した。尚、対照には、粉末状トコフェロール（理研ビタミン（株）製、商品名「理研ドライＥミックス−２０」）を使用した。
得られた飼料を３５℃で１ヵ月間保存後、風味試験を行った。
その結果、酸化防止剤組成物を配合した飼料は、保存前後で風味に殆ど差がみられなかったのに対し、対照は酸化臭を有していた。
トウモロコシ          ７３０    ｇ
ルーサンミール          ３０    ｇ
大豆ミール            １３０    ｇ
魚粉                    ６０    ｇ
炭酸カルシウム          ７０    ｇ
食塩                      ２    ｇ
酸化防止剤組成物          １    ｇ
【００３９】
【試験例】
試験例１
試験方法
▲１▼測定試料の調製
５０ｍＬ（ミリリットル）容サンプル瓶に、５６ｍｇ／ｍＬ濃度のリノール酸のエタノール溶液２．５ｍＬ、表１に示す量の脱脂卵黄の加水分解物及び／又は抗酸化剤とｐＨ７の０．１Ｍ（モル濃度）クエン酸−０．１Ｍリン酸緩衝液及びエタノール濃度が２０容量％となるようにエタノールを加えて、全量２５ｍＬの測定試料を調製した。尚、脱脂卵黄の加水分解物は実施例１で得られたものを用いた。
▲２▼上記の各測定試料を３５℃で保存し、経時的にロダン鉄法にて過酸化物価（ＰＯＶ）測定した。
すなわち、測定液０．１ｍＬに７５％含水エタノール４．７ｍＬ、３０％ロダンアンモニウム０．１ｍＬ及び０．０２Ｍ塩化第一鉄／３．５％塩酸０．１ｍＬを加え、正確に３分後、５００ｎｍの吸光度を測定し、測定液の代わりに精製水を用いた時の吸光度をブランクとして、その差が０．３以上となるまでの日数を誘導期間として、各測定試料の酸化防止力を比較した。
【００４０】
【表１】
0004039713.tif 000002
【００４１】
表１より、脱脂卵黄の加水分解物と抗酸化剤を同時に添加した（試料Ｎｏ．４、６、８、１０及び１２）場合は、抗酸化剤単独よりも何れも酸化防止力が増しており、特に、脱脂卵黄の加水分解物とトコフェロール（試料Ｎｏ．４）又はアスコルビン酸類（試料Ｎｏ．６及び８）の場合は、他の抗酸化剤より誘導日数が著しく増加し、酸化防止力が増強されていることが理解される。
【００４２】
試験例２
試験方法
測定試料中の蛋白質加水分解物及びトコフェロールの濃度をそれぞれ３０μｇ／ｍＬ及び４μｇ／ｍＬとし、試験例１の方法に準じ各測定資料の酸化防止力を比較した。
【００４３】
【表２】
0004039713.tif 000003
【００４４】
表２より、他の蛋白質加水分解物よりも脱脂卵黄の加水分解物を使用した酸化防止剤組成物（試料Ｎｏ．１４〜１９）のほうが、誘導時間が長く、酸化防止力が優れていることが理解される。また、脱脂卵黄の加水分解物のうち、平均分子量が２００〜１０００のもの（試料Ｎｏ．１５〜１７及び１９）を使用した酸化防止剤組成物は、さらに誘導時間が長くなり、酸化防止力が優れていることが理解される。
【００４５】
【発明の効果】
以上述べたように、本発明により脱脂卵黄の加水分解物を利用した酸化防止に優れた新規な酸化防止剤組成物及びこの酸化防止剤組成物を含有した酸化安定性に優れた食品又は飼料が提供され、脱脂卵黄の用途を拡大するものである。